(57)【要約】【課題】  本出願人は、タイヤの補強体に関し、権利を取得しているが、その改良発明を提案し、市場の要望に応える。【解決手段】  大型車輌のタイヤの一方サイドウォールに網体製ドーナツ形状補強体を備えた車輛で、補強体は、一方・他方サイドウォールに設けた鉄製の一方・他方サイド環体と、一方・他方サイド環体に横設した鉄製の差渡し体と、多数の差渡し体と一方サイドウォールのサイド環体間に設けたスプリングと、網体の中心辺部に設けた鉄製の中心環体と、差渡し体と他方サイドウォールのサイド環体間に設けた連結具と、でなり、一方・他方サイド環体は、タイヤのサイドウォールに設け、一方・他方サイド環体は、タイヤの沈み代を考慮し、タイヤの外径に対し、小径の寸法とした工事用・建機用大型車輌のタイヤに装着される補強体の構造。【選択図】    図１
2020059345.tif 000002
【特許請求の範囲】
【請求項１】
工事用・建機用大型車輌のタイヤの、少なくとも、一方サイドウォールに網体製、ゴム製、鋼板製、又は樹脂製の何れかでなるドーナツ形状補強体を備えた車輛において、
この補強体は、前記タイヤの一方・他方サイドウォールに設けた鉄製、プラスチック製、複合素材製の何れかでなる一方・他方サイド環体と、この一方・他方サイド環体に横設した鉄製、プラスチック製、複合素材製の何れかでなる多数の差渡し体と、少なくとも、この多数の差渡し体と前記一方サイドウォールのサイド環体間に設けたそれぞれのスプリングと、前記補強体の中心辺部に設けた鉄製、プラスチック製、複合素材製の何れかでなる中心環体と、少なくとも、この多数の差渡し体と前記他方サイドウォールのサイド環体間に設けたそれぞれの連結具と、でなる構造であって、
前記一方・他方サイド環体は、前記タイヤのサイドウォールに設けるとともに、この一方・他方サイド環体は、このタイヤの沈み代（圧縮度）を考慮し、タイヤの外径に対して、小径の寸法とする構成とした工事用・建機用大型車輌のタイヤに装着される補強体の構造。
【請求項２】
請求項１の補強体は、網体であり、少なくとも、この網体の隙間より処理物が、排出される構成とした工事用・建機用大型車輌のタイヤに装着される補強体の構造。
【請求項３】
請求項１の一方・他方サイド環体は、このタイヤの沈み代（圧縮度）を考慮し、タイヤの外径に対して、小径とするものであって、その小径の寸法は、一割小径とする構成とした工事用・建機用大型車輌のタイヤに装着される補強体の構造。
【請求項４】
請求項１の網体には、補強用の耐性の支持体を、径方向に複数本設ける構成とした工事用・建機用大型車輌のタイヤに装着される補強体の構造。
【請求項５】
請求項１の他方サイド環体は、少なくとも、二分割構造とし、この分割部位を、連結具で一体化する構成とした工事用・建機用大型車輌のタイヤに装着される補強体の構造。
【発明の詳細な説明】
【技術分野】
【０００１】
本発明は、工事用・建機用大型車輌のタイヤに装着される補強体の構造に関する。
【背景技術】
【０００２】
この種の工事用・建機用大型車輌のタイヤに装着される補強体の構造に関し、本出願人は、使用分野、経済性、取扱い容易化と、並びに実用に適すること、等を意図し、提案している。その一例が、特許第６３２５０４５号と、特許第６０９９１８０号である。特許第６３２５０４５号は、外側ホイールに着脱自在に設けた取付け手段を利用し、金属製の環状補強体を、サイドウォールに添接支持する発明である。また、前記特許第６０９９１８０号は、磁石と金属の磁着を利用し、外側サイドウォール（部）に補強体を取付ける発明である。
【０００３】
これらの特許発明は、着想に優位性があり、現場市場では早期の提供が要望されている。しかし、現実の使用において、砂、又は削岩（小径）、砕石等のヤード（山積み）への走行時において、補強体の捲れの問題が少なからず発生し、その工夫が要望されている。
【０００４】
この問題を解決するための手段を、本発明は提案する。
【０００５】
この提案と、関連が考えられる先行文献の中で、例えば、タイヤチェーンに関して説明する。特開２０１５−１０１１８８号公報に記載の発明がある（文献（１））。この発明は、タイヤチェーン、及びタイヤチェーンに設けた係止部を利用し、タイヤのホイールを保護する保護部材を、サイドチェーン部とホイールの間の隙間に着脱自在に設ける構造であり、サイドチェーンとホイールとの接触回避を図ることにある。よって、保護部材は、タイヤのサイドウォール部を保護するものでない。また、保護部材は、タイヤチェーンに面ファスナーを利用して取付けられる構造であり、衝撃で離間する蓋然性がある。また、同様な発明として特許第３５２６８２７号公報に記載の発明がある（文献（２））。この発明は、タイヤチェーンのサイドチェーン部に設けた環状のディスクの内側に、保持リングを設けた構造であり、文献（１）と同じ目的であり、この目的と、併せて、構造の観点で、衝撃で離間する蓋然性がある。また、タイヤチェーンにおいて、クロスチェーンとサイドチェーンの緩衝効果を図り、かつ取扱いの簡便化を図る発明として、特開平１０−１３８７２１号公報の発明がある（文献（３））。この発明は、タイヤチェーンのクロスチェーンとサイドチェーンの関係に留まっており、タイヤチェーンの分野のみと考えられる。
【特許文献１】特開２０１５−１０１１８８号公報
【特許文献２】特許第３５２６８２７号公報
【特許文献３】特開平１０−１３８７２１号公報
【発明の概要】
【発明が解決しようとする課題】
【０００６】
文献（１）は、タイヤチェーンのホイールに関しての改良、また、文献（２）は、タイヤチェーンのディスクに関しての改良であり、タイヤの外側に保護材（補強体）を設ける発明である。従って、本発明とは、目的、及び／又は、構造が異なる。
【０００７】
次に文献（３）は、タイヤチェーンのクロスチェーンとサイドチェーンの関係であり、衝撃緩衝と、取扱いの簡便化に関する発明である。従って、本発明とは、目的、及び／又は、構造が異なる。
【課題を解決するための手段】
【０００８】
上記に鑑み、本発明は、請求項１−５を提供することで、下記のことを意図する。
「イ」  砂利、削岩、砕石等の固結物の山に向かって、工事用・建機用大型車輌が走行、乗入れ等する際に、補強体の捲れ防止を図る、又は、外側サイドウォール部（内側、及び／又は、外側サイドウォール部）と、補強体との間に侵入した砂利、削岩等を排出可能とする。「ロ」  少なくとも、サイドウォール部の強化技術であって、内側、及び／又は、外側サイドウォール部と、砂利、削岩、砕石等とか、その他の突起物との接触による破損防止が図れる。「ハ」  少なくとも、外側サイドウォール部に、安定して取付けでき、しかも、タイヤの沈み代（圧縮度）を考慮し、タイヤの外径に対して、一割程度小径とする。「ニ」  一方・他方サイド環体に横設した差渡し体の復帰を図り、この一方・他方サイド環体と、補強体の安定した取付け状態を確保する。
【発明の効果】
【０００９】
請求項１は、工事用・建機用大型車輌のタイヤの、少なくとも、一方サイドウォールに網体製、ゴム製、鋼板製、又は樹脂製の何れかでなるドーナツ形状補強体を備えた車輛において、
補強体は、タイヤの一方・他方サイドウォールに設けた鉄製、プラスチック製、複合素材製の何れかでなる一方・他方サイド環体と、一方・他方サイド環体に横設した鉄製、プラスチック製、複合素材製の何れかでなる多数の差渡し体と、少なくとも、多数の差渡し体と一方サイドウォールのサイド環体間に設けたそれぞれのスプリングと、補強体の中心辺部に設けた鉄製、プラスチック製、複合素材製の何れかでなる中心環体と、少なくとも、多数の差渡し体と他方サイドウォールのサイド環体間に設けたそれぞれの連結具と、でなる構造であって、
一方・他方サイド環体は、タイヤのサイドウォールに設けるとともに、一方・他方サイド環体は、タイヤの沈み代（圧縮度）を考慮し、タイヤの外径に対して、小径の寸法とする構成とした工事用・建機用大型車輌のタイヤに装着される補強体の構造である。
【００１０】
これにより、請求項１の発明は、前記の「イ」−「ニ」の特徴を達成できる。但し「外側サイドウォール部（内側、及び／又は、外側サイドウォール部）と、補強体との間に侵入した砂利、削岩等を排出可能とする。」と、「しかも、タイヤの沈み代（圧縮度）を考慮し、タイヤの外径に対して、一割程度小径とする。」は除く。
【００１１】
請求項２は、請求項１の補強体は、網体であり、少なくとも、網体の隙間より処理物が、排出される構成とした工事用・建機用大型車輌のタイヤに装着される補強体の構造である。
【００１２】
請求項３は、請求項１の一方・他方サイド環体は、このタイヤの沈み代（圧縮度）を考慮し、タイヤの外径に対して、小径とするものであって、その小径の寸法は、一割小径とする構成とした工事用・建機用大型車輌のタイヤに装着される補強体の構造。
【００１３】
これにより、請求項２・３の発明は、前記の「イ」−「ニ」の特徴を達成できる。
【００１４】
請求項４は、請求項１の網体には、補強用の耐性の支持体を、径方向に複数本設ける構成とした工事用・建機用大型車輌のタイヤに装着される補強体の構造である。
【００１５】
これにより、請求項４の発明は、前記の「イ」−「ニ」の特徴を達成できる。また、補強体の耐性の向上と、破損時において、個別に交換できる特徴と、経費の削減ができる。
【００１６】
請求項５は、請求項１の他方サイド環体は、少なくとも、二分割構造とし、この分割部位を、連結具で一体化する構成とした工事用・建機用大型車輌のタイヤに装着される補強体の構造である。
【００１７】
これにより、請求項５の発明は、前記の「イ」−「ニ」の特徴を達成できる。また、補強体の耐性の向上と、破損時において、個別に交換できる特徴と、経費の削減ができる。
【図面の簡単な説明】
【００１８】
【図１】本発明の構成部品とタイヤを、分解して示した模式図
【図２−１】本発明の網体（補強体）と一方サイド環体を、タイヤの外側サイドウォールに装着した状態の俯瞰図
【図２−２】本発明の他方サイド環体を、タイヤの内側サイドウォールに装着した状態の俯瞰図
【図３−１】本発明の一方サイド環体と差渡し体との連結関係（連結具）を示した一例の拡大俯瞰図
【図３−２】本発明の他方サイド環体と差渡し体との連結関係（連結具）を示した一例の拡大俯瞰図
【図４−１】本発明の他の連結具を示した一例の拡大俯瞰図
【図４−２】本発明の一方・他方サイド環体（共通である）と差渡し体との連結関係（他の連結具）を示した一例の拡大俯瞰図
【図５】例えば、大型作業機械（ホイールローダー）に、本発明を採用した図
【発明を実施するための形態】
【００１９】
以下、本発明の好ましい、一実施例を説明する。
【００２０】
１は網体製、ゴム製、鋼板製、又は樹脂製の何れかでなるドーナツ形状補強体で、この補強体１は、タイヤＡの外側サイドウォールＡ１に装着される。
【００２１】
この一例では、
：１．  補強体１（網体１とする）は、鉄製、プラスチック製、複合素材製の何れかでなる外側サイドウォールＡ１に装着される環状の一方サイド環体２と、この一方サイド環体２に対峙関係となる鉄製、プラスチック製、複合素材製の何れかでなる内側サイドウォールＡ２に装着される環状の他方サイド環体３と、を有する。
【００２２】
：２．  一方・他方サイド環体２、３に横設した鉄製、プラスチック製、複合素材製の何れかでなる多数の差渡し体５を備え、この差渡し体５はスプリング構造でも可能である。即ち、摩耗と復帰に優れた構造を採用する。また、他方サイド環体３は、例えば、二分割できる。車軸に跨り設けることを意図する。
【００２３】
：３．  多数の差渡し体５と一方サイド環体２（一方サイドのサイド環体）間に設けたそれぞれのスプリング６を備え、この一例では、スプリング６の一方は、一方サイド環体２に繋ぐＵボルト６０を備え、その他方は環体５１を利用して差渡し体５に連結する構造であって（スプリング６、Ｕボルト６０、環体５１で連結具８を構成する）、差渡し体５に弾性を与えるとともに、差渡し体５に自由な動きを保証すること、更にはトレッドＡ４の環状方向に張装される際の緩衝と、復帰に役立てる。即ち、スプリング６と一方サイド環体２、及び／又は、差渡し体５との自由な着脱を図る構造である。
【００２４】
：４．  網体１の中心辺部に、鉄製、プラスチック製、複合素材製の何れかでなる中心環体７を備え、この中心環体７は、一方サイド環体２より小径であり、図示のようにホイールＡ３と略同じ径とする。そして、網体１は、前記一方サイド環体２と、この中心環体７に設けるとともに、補強を考慮して径方向に複数本の支持体１００を介設する。一例として、支持体１００を利用して、複数枚の網１０１とすることで、張替とか破損時等の緊急時において有効である。尚、中心環体７は、ホイールＡ３、及び／又は、ホイールＡ３の繋ぎ部（図示せず）に代替することも有りえる。また、補強体１は、ホイールＡ３に直接係止する例とか、補強体１をケーブル等の連結体を介して、ホイールＡ３に取付ける例とかが考えられる。その効果はほぼ同じである。
【００２５】
：５．  少なくとも、多数の差渡し体５と他方サイド環体３（他方サイドのサイド環体）間に設けたそれぞれの連結具８０（Ｕボルト６０と環体５１）を備え、この連結具８０は、差渡し体５に自由な動きを保証すること、又はタイヤＡへの装着の確保と、装着の容易化等の為にある。その他は、：３．に準ずる。この連結具８０は、スプリング６、Ｕボルト６０等に代替できる。また、この連結具８０は、前記スプリング６と、Ｕボルト６０と環体５１の例に代替することも可能である。
【００２６】
：６．  一方サイド環体２、及び／又は、他方サイド環体３は、タイヤＡの沈み代（圧縮度）を考慮し、タイヤＡの外径に対して、小径の寸法とする。一割程度小径とすることが望ましい。即ち、タイヤＡが沈んだ際に、網体１が、例えば、地面に衝止して形状の損傷がないようにする為である。
【００２７】
図４−１と図４−２に示した連結具８００は、図３−１に示した連結具８（スプリング６とＵボルト６０と環体５１）の代替品である。環状板の繋ぎ体８０１と、この繋ぎ体８０１に抜き差し可能な連結駒８０２の構成であり、この連結駒８０２は一方サイド環体２に係止される。また、連結駒８０２には、移動式となったブッシュ８０２ａを設ける。このブッシュ８０２ａは、差渡し体５の螺軸５０に螺着されている。従って、ブッシュ８０２ａを正逆回転することで、一方の差渡し体５の長さ調整が可能である。この例では、繋ぎ体８０１の対の差込み孔８０１ａにブッシュ８０２ａが差し込まれ、その後、螺軸８０が、溝孔８０１ｂを移動し、繋ぎ体８０１の連結部８０１ｂ１に当接するまで移動する。この移動で、繋ぎ体８０１は、連結駒８０２に連結掛け止めされる（図４−２参照）。この連結具８００は、差渡し体５の他方の端にも設ける。尚、他方の連結具の繋ぎ体８０１は、他方サイド環体３に掛け止めされている。なお、一方又は他方サイド環体２、３は、繋ぎ片８０１−１と繋ぎ片８０１−２との間を通って環状の繋ぎ体８０１の内部に設けられ、繋ぎ片８０１−１と繋ぎ片８０１−２は、止め具８０１−３で係止される。このような構成の差渡し体５の一方・他方に設けた連結具８００の長さ調整で、差渡し体５の一方、及び／又は、他方の長さ調整ができる。その他は、前述の連結具８、又は８０に準ずる。
【００２８】
タイヤＡへの補強体１（網体１）の取付けは、他方サイド環体３を、二分割するように分けて（図示しない）、車軸を越えるようにしながら、タイヤＡの内側サイドウォールＡ２に回し、差渡し体５をトレッドＡ４に添設する。また、網体１、及び一方サイド環体２、又は中心環体７等をタイヤＡの外側サイドウォールＡ１に仮添設する。続いて、差渡し体５と、網体１、及び一方サイド環体２、又は中心環体７等をタイヤＡの所要箇所に添設し、併せて、前記他方サイド環体３の二分割箇所をロック具（図示しない）で連結する。この操作で、タイヤＡに網体１が装着される。その状態を図５に示す。
【００２９】
以上で説明した各実施例は、好ましい一例を示したものであり、同様な効果と特徴を有する他の構造、手段は、本発明の範疇である。
【符号の説明】
【００３０】
１  補強体（網体）
１００  支持体
１０１  網
２  一方サイド環体
３  他方サイド環体
５  差渡し体
５０  螺軸
５１  環体
６  スプリング
６０  Ｕボルト
７  中心環体
８  連結具
８０  連結具
８００  連結具
８０１  繋ぎ体
８０１−１  繋ぎ片
８０１−２  繋ぎ片
８０１−３  止め具
８０１ａ  差込み孔
８０１ｂ  溝孔
８０１ｂ１  連結部
８０２  連結駒
８０２ａ  ブッシュ
Ａ  タイヤ
Ａ１  外側サイドウォール
Ａ２  内側サイドウォール
Ａ３  ホイール
Ａ４  トレッド
【図１】
2020059345.tif 000003
【図２−１】
2020059345.tif 000004
【図２−２】
2020059345.tif 000005
【図３−１】
2020059345.tif 000006
【図３−２】
2020059345.tif 000007
【図４−１】
2020059345.tif 000008
【図４−２】
2020059345.tif 000009
【図５】
2020059345.tif 000010
【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
工事用・建機用大型車輌のタイヤの、少なくとも、一方サイドウォールに網体製、ゴム製、鋼板製、又は樹脂製の何れかでなるドーナツ形状補強体を備えた車輛において、
この補強体は、前記タイヤの一方・他方サイドウォールに設けた鉄製、プラスチック製、複合素材製の何れかでなる一方・他方サイド環体と、この一方・他方サイド環体に横設した鉄製、プラスチック製、複合素材製の何れかでなる多数の差渡し体と、少なくとも、この多数の差渡し体と前記一方サイドウォールのサイド環体間に設けたそれぞれのスプリング、及びＵボルト、並びに環体でなる連結具と、前記補強体の中心辺部に設けた鉄製、プラスチック製、複合素材製の何れかでなる中心環体と、少なくとも、この多数の差渡し体と前記他方サイドウォールのサイド環体間に設けたＵボルト、又は前記一方サイド環体に係止される繋ぎ体を備えた連結部、及びこの繋ぎ体に差込み支持される前記差渡し体の螺軸に螺着されるブッシュを備えた連結駒の何れかでなる連結具と、でなる構造であって、
前記一方・他方サイド環体は、前記タイヤのサイドウォールに設けるとともに、この一方・他方サイド環体は、このタイヤの沈み代（圧縮度）を考慮し、タイヤの外径に対して、小径の寸法とする構成とした工事用・建機用大型車輌のタイヤに装着される補強体の構造。
【請求項２】
請求項１の補強体は、網体であり、少なくとも、この網体の隙間より処理物が、排出される構成とした工事用・建機用大型車輌のタイヤに装着される補強体の構造。
【請求項３】
請求項１の一方・他方サイド環体は、このタイヤの沈み代（圧縮度）を考慮し、タイヤの外径に対して、小径とするものであって、その小径の寸法は、一割小径とする構成とした工事用・建機用大型車輌のタイヤに装着される補強体の構造。
【請求項４】
請求項１の網体には、補強用の耐性の支持体を、径方向に複数本設ける構成とした工事用・建機用大型車輌のタイヤに装着される補強体の構造。
【手続補正２】
【補正対象書類名】明細書
【補正対象項目名】０００８
【補正方法】変更
【補正の内容】
【０００８】
上記に鑑み、本発明は、請求項１−４を提供することで、下記のことを意図する。
「イ」  砂利、削岩、砕石等の固結物の山に向かって、工事用・建機用大型車輌が走行、乗入れ等する際に、補強体の捲れ防止を図る、又は、外側サイドウォール部（内側、及び／又は、外側サイドウォール部）と、補強体との間に侵入した砂利、削岩等を排出可能とする。「ロ」  少なくとも、サイドウォール部の強化技術であって、内側、及び／又は、外側サイドウォール部と、砂利、削岩、砕石等とか、その他の突起物との接触による破損防止が図れる。「ハ」  少なくとも、外側サイドウォール部に、安定して取付けでき、しかも、タイヤの沈み代（圧縮度）を考慮し、タイヤの外径に対して、一割程度小径とする。「ニ」  一方・他方サイド環体に横設した差渡し体の復帰を図り、この一方・他方サイド環体と、補強体の安定した取付け状態を確保する。尚、「ホ」  繋ぎ体を備えた連結部、及び繋ぎ体に差込み支持される差渡し体の螺軸に螺着されるブッシュを備えた連結駒の連結具の構造では、差渡し体に設けた連結具の長さ調整で、差渡し体の長さ調整ができる。
【手続補正３】
【補正対象書類名】明細書
【補正対象項目名】０００９
【補正方法】変更
【補正の内容】
【０００９】
請求項１は、工事用・建機用大型車輌のタイヤの、少なくとも、一方サイドウォールに網体製、ゴム製、鋼板製、又は樹脂製の何れかでなるドーナツ形状補強体を備えた車輛において、
補強体は、タイヤの一方・他方サイドウォールに設けた鉄製、プラスチック製、複合素材製の何れかでなる一方・他方サイド環体と、一方・他方サイド環体に横設した鉄製、プラスチック製、複合素材製の何れかでなる多数の差渡し体と、少なくとも、多数の差渡し体と一方サイドウォールのサイド環体間に設けたそれぞれのスプリング、及びＵボルト、並びに環体でなる連結具と、補強体の中心辺部に設けた鉄製、プラスチック製、複合素材製の何れかでなる中心環体と、少なくとも、多数の差渡し体と他方サイドウォールのサイド環体間に設けたＵボルト、又は一方サイド環体に係止される繋ぎ体を備えた連結部、及び繋ぎ体に差込み支持される差渡し体の螺軸に螺着されるブッシュを備えた連結駒の何れかでなる連結具と、でなる構造であって、
一方・他方サイド環体は、タイヤのサイドウォールに設けるとともに、一方・他方サイド環体は、タイヤの沈み代（圧縮度）を考慮し、タイヤの外径に対して、小径の寸法とする構成とした工事用・建機用大型車輌のタイヤに装着される補強体の構造である。
【手続補正４】
【補正対象書類名】明細書
【補正対象項目名】００１０
【補正方法】変更
【補正の内容】
【００１０】
これにより、請求項１の発明は、前記の「イ」−「ホ」の特徴を達成できる。但し「外側サイドウォール部（内側、及び／又は、外側サイドウォール部）と、補強体との間に侵入した砂利、削岩等を排出可能とする。」と、「しかも、タイヤの沈み代（圧縮度）を考慮し、タイヤの外径に対して、一割程度小径とする。」は除く。
【手続補正５】
【補正対象書類名】明細書
【補正対象項目名】００１３
【補正方法】変更
【補正の内容】
【００１３】
これにより、請求項２・３の発明は、前記の「イ」−「ホ」の特徴を達成できる。
【手続補正６】
【補正対象書類名】明細書
【補正対象項目名】００１５
【補正方法】変更
【補正の内容】
【００１５】
これにより、請求項４の発明は、前記の「イ」−「ホ」の特徴を達成できる。また、補強体の耐性の向上と、破損時において、個別に交換できる特徴と、経費の削減ができる。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正書】
【提出日】平成31年4月15日(2019.4.15)
【手続補正１】
【補正対象書類名】特許請求の範囲
【補正対象項目名】全文
【補正方法】変更
【補正の内容】
【特許請求の範囲】
【請求項１】
工事用・建機用大型車輌のタイヤの、少なくとも、一方サイドウォールに網体製、ゴム製、鋼板製、又は樹脂製の何れかでなるドーナツ形状補強体を備えた車輛において、
この補強体は、前記タイヤの一方・他方サイドウォールに設けた鉄製、プラスチック製、複合素材製の何れかでなる一方・他方サイド環体と、この一方・他方サイド環体に横設した鉄製、プラスチック製、複合素材製の何れかでなる多数の差渡し体と、少なくとも、この多数の差渡し体と前記一方サイドウォールのサイド環体間に設けたそれぞれのスプリング、及びＵボルト、並びに環体でなる連結具と、前記補強体の中心辺部に設けた鉄製、プラスチック製、複合素材製の何れかでなる中心環体と、少なくとも、この多数の差渡し体と前記他方サイドウォールのサイド環体間に設けたＵボルト、又は前記一方サイド環体に係止される繋ぎ体を備えた連結部、及びこの繋ぎ体に差込み支持される前記差渡し体の螺軸に螺着されるブッシュを備えた連結駒の何れかでなる連結具と、でなる構造であって、
前記差渡し体と前記一方サイドウォールのサイド環体間に設けた前記スプリング、及び前記Ｕボルト、並びに前記環体でなる前記連結具と、前記差渡し体と前記他方サイドウォールのサイド環体間に設けた前記Ｕボルト、又は前記一方サイド環体に係止され、かつ移動できる前記繋ぎ体を備えた前記連結部、及びこの繋ぎ体に差込み支持される前記差渡し体の螺軸に螺着される前記連結駒の何れかでなる連結具と、でなることを特徴とし、
前記一方・他方サイド環体は、前記タイヤのサイドウォールに設けるとともに、この一方・他方サイド環体は、このタイヤの沈み代（圧縮度）を考慮し、タイヤの外径に対して、小径の寸法とする構成とした工事用・建機用大型車輌のタイヤに装着される補強体の構造。
【請求項２】
請求項１の補強体は、網体であり、少なくとも、この網体の隙間より処理物が、排出される構成とした工事用・建機用大型車輌のタイヤに装着される補強体の構造。
【請求項３】
請求項１の一方・他方サイド環体は、このタイヤの沈み代（圧縮度）を考慮し、タイヤの外径に対して、小径とするものであって、その小径の寸法は、一割小径とする構成とした工事用・建機用大型車輌のタイヤに装着される補強体の構造。
【請求項４】
請求項１の網体には、補強用の耐性の支持体を、径方向に複数本設ける構成とした工事用・建機用大型車輌のタイヤに装着される補強体の構造。
【手続補正２】
【補正対象書類名】明細書
【補正対象項目名】０００８
【補正方法】変更
【補正の内容】
【０００８】
上記に鑑み、本発明は、請求項１−４を提供することで、下記のことを意図する。
「イ」  砂利、削岩、砕石等の固結物の山に向かって、工事用・建機用大型車輌が走行、乗入れ等する際に、補強体の捲れ防止を図る、又は、外側サイドウォール部（内側、及び／又は、外側サイドウォール部）と、補強体との間に侵入した砂利、削岩等を排出可能とする。「ロ」  少なくとも、サイドウォール部の強化技術であって、内側、及び／又は、外側サイドウォール部と、砂利、削岩、砕石等とか、その他の突起物との接触による破損防止が図れる。「ハ」  少なくとも、外側サイドウォール部に、安定して取付けでき、しかも、タイヤの沈み代（圧縮度）を考慮し、タイヤの外径に対して、一割程度小径とする。「ニ」  一方・他方サイド環体に横設した差渡し体の復帰を図り、この一方・他方サイド環体と、補強体の安定した取付け状態を確保する。尚、「ホ」  繋ぎ体を備えた連結部、及び繋ぎ体に差込み支持される差渡し体の螺軸に螺着されるブッシュを備えた連結駒の連結具の構造では、差渡し体に設けた連結具の長さ調整で、差渡し体の長さ調整ができる。「へ」  差渡し体と一方サイドウォールに設けたスプリング、及びＵボルト、並びに環体でなる連結具と、差渡し体と他方サイドウォールに設けたＵボルト、又は一方サイド環体に係止され、かつ移動できる繋ぎ体を備えた連結部、及び繋ぎ体に差込み支持される螺軸に螺着される連結駒の何れかでなる連結具と、でなることを特徴とする。
【手続補正３】
【補正対象書類名】明細書
【補正対象項目名】０００９
【補正方法】変更
【補正の内容】
【０００９】
工事用・建機用大型車輌のタイヤの、少なくとも、一方サイドウォールに網体製、ゴム製、鋼板製、又は樹脂製の何れかでなるドーナツ形状補強体を備えた車輛において、
補強体は、タイヤの一方・他方サイドウォールに設けた鉄製、プラスチック製、複合素材製の何れかでなる一方・他方サイド環体と、一方・他方サイド環体に横設した鉄製、プラスチック製、複合素材製の何れかでなる多数の差渡し体と、少なくとも、多数の差渡し体と一方サイドウォールのサイド環体間に設けたそれぞれのスプリング、及びＵボルト、並びに環体でなる連結具と、補強体の中心辺部に設けた鉄製、プラスチック製、複合素材製の何れかでなる中心環体と、少なくとも、多数の差渡し体と他方サイドウォールのサイド環体間に設けたＵボルト、又は一方サイド環体係止される繋ぎ体を備えた連結部、及び繋ぎ体に差込み支持される差渡し体の螺軸に螺着されるブッシュを備えた連結駒の何れかでなる連結具と、でなる構造であって、
差渡し体と一方サイドウォールのサイド環体間に設けたスプリング、及びＵボルト、並びに環体でなる連結具と、差渡し体と他方サイドウォールのサイド環体間に設けたＵボルト、又は一方サイド環体に係止され、かつ移動できる繋ぎ体を備えた連結部、及び繋ぎ体に差込み支持される差渡し体の螺軸に螺着される連結駒の何れかでなる連結具と、でなることを特徴とし、
一方・他方サイド環体は、タイヤのサイドウォールに設けるとともに、一方・他方サイド環体は、タイヤの沈み代（圧縮度）を考慮し、タイヤの外径に対して、小径の寸法とする構成とした工事用・建機用大型車輌のタイヤに装着される補強体の構造の構造である。
【手続補正４】
【補正対象書類名】明細書
【補正対象項目名】００１０
【補正方法】変更
【補正の内容】
【００１０】
これにより、請求項１の発明は、前記の「イ」−「へ」の特徴を達成できる。但し「外側サイドウォール部（内側、及び／又は、外側サイドウォール部）と、補強体との間に侵入した砂利、削岩等を排出可能とする。」と、「しかも、タイヤの沈み代（圧縮度）を考慮し、タイヤの外径に対して、一割程度小径とする。」は除く。
【手続補正書】
【提出日】令和1年10月9日(2019.10.9)
【手続補正１】
【補正対象書類名】特許請求の範囲
【補正対象項目名】全文
【補正方法】変更
【補正の内容】
【特許請求の範囲】
【請求項１】
工事用・建機用大型車輌のタイヤの一方・他方サイドウォールのうち、少なくとも、前記一方サイドウォールに網体製、ゴム製、鋼板製、及び樹脂製の何れかでなるドーナツ形状補強体を備えた車輛に用いられる工事用・建機用大型車輌のタイヤに装着される補強体の構造において、
前記補強体は、
前記タイヤの前記一方・他方サイドウォールに設けられた鉄製、プラスチック製、複合素材製の何れかでなる一方・他方サイド環体と、
前記一方・他方サイド環体に横設された鉄製、プラスチック製、複合素材製の何れかでなる多数の差渡し体と、
少なくとも、前記多数の差渡し体と前記一方サイドウォールの前記一方サイド環体との間に設けられたそれぞれのスプリング、及び第１のＵボルト、並びに環体でなる第１連結具と、
前記補強体の中心辺部に設けられた鉄製、プラスチック製、複合素材製の何れかでなる中心環体と、
少なくとも、前記多数の差渡し体と前記他方サイドウォールの前記他方サイド環体との間に設けられた第２連結具と、
を備え、
前記第２連結具は、
第２のＵボルト、
及び、
前記他方サイド環体に係止される孔からなる繋ぎ体を備えた連結部、及び、孔からなる前記繋ぎ体に差込み支持される前記差渡し体の螺軸に螺着されるブッシュを備えた連結駒、
の何れかでなり、
前記差渡し体と前記一方サイドウォールの前記一方サイド環体との間に設けられた前記スプリング、及び前記第１のＵボルト、並びに前記環体でなる前記第１連結具は、前記一方サイド環体に設けられた円環形状の支持体に前記第１のＵボルトが接続されることで、前記一方サイド環体の周方向に移動しないように取り付けられ、
前記差渡し体と前記他方サイドウォールの前記他方サイド環体との間に設けられた前記第２のＵボルト、及び、前記他方サイド環体に係止され、かつ移動できる孔からなる前記繋ぎ体を備えた前記連結部、及び孔からなる前記繋ぎ体に差込み支持される前記差渡し体の螺軸に螺着される前記ブッシュを備えた前記連結駒、の何れかでなる前記第２連結具は、前記第２のＵボルト又は前記連結部が、前記他方サイド環体に対して、前記他方サイド環体の周方向に移動可能に取り付けられ、
前記一方・他方サイド環体は、前記タイヤの前記一方・他方サイドウォールに設けられるとともに、前記一方・他方サイド環体は、前記タイヤの沈み代（圧縮度）を考慮し、前記タイヤの外径に対して、小径に形成され、
前記多数の差渡し体は、前記タイヤのトレッドに配置され、
前記第１連結具は、前記一方サイドウォールと前記トレッドとの間に傾斜して設けられた前記タイヤの一方ショルダー部に、前記スプリングのばね力に基づいて伸縮自在に配置され、
前記第２連結具は、前記他方サイドウォールと前記トレッドとの間に傾斜して設けられた前記タイヤの他方ショルダー部に配置されている、工事用・建機用大型車輌のタイヤに装着される補強体の構造。
【請求項２】
前記補強体は、網体であり、少なくとも、前記網体の隙間より処理物が、排出されるように構成され、
前記網体には、補強用の耐性の前記支持体が、周方向に複数本設けられている、請求項１に記載の工事用・建機用大型車輌のタイヤに装着される補強体の構造。
【手続補正２】
【補正対象書類名】明細書
【補正対象項目名】０００８
【補正方法】変更
【補正の内容】
【０００８】
上記に鑑み、本発明は、請求項１−２を提供することで、下記のことを意図する。
「イ」  砂利、削岩、砕石等の固結物の山に向かって、工事用・建機用大型車輌が走行、乗入れ等する際に、補強体の捲れ防止を図る、又は、外側サイドウォール部（内側、及び／又は、外側サイドウォール部）と、補強体との間に侵入した砂利、削岩等を排出可能とする。「ロ」  少なくとも、サイドウォール部の強化技術であって、内側、及び／又は、外側サイドウォール部と、砂利、削岩、砕石等とか、その他の突起物との接触による破損防止が図れる。「ハ」  少なくとも、外側サイドウォール部に、安定して取付けでき、しかも、タイヤの沈み代（圧縮度）を考慮し、タイヤの外径に対して、一割程度小径とする。「ニ」  一方・他方サイド環体に横設した差渡し体の復帰を図り、この一方・他方サイド環体と、補強体の安定した取付け状態を確保する。尚、「ホ」  繋ぎ体を備えた連結部、及び繋ぎ体に差込み支持される差渡し体の螺軸に螺着されるブッシュを備えた連結駒の連結具の構造では、差渡し体に設けた連結具の長さ調整で、差渡し体の長さ調整ができる。「へ」  差渡し体と一方サイドウォールに設けたスプリング、及びＵボルト、並びに環体でなる連結具と、差渡し体と他方サイドウォールに設けたＵボルト、又は一方サイド環体に係止され、かつ移動できる繋ぎ体を備えた連結部、及び繋ぎ体に差込み支持される螺軸に螺着される連結駒の何れかでなる連結具と、でなることを特徴とする。
【手続補正３】
【補正対象書類名】明細書
【補正対象項目名】０００９
【補正方法】変更
【補正の内容】
【０００９】
本発明に係る工事用・建機用大型車輌のタイヤに装着される補強体の構造は、
工事用・建機用大型車輌のタイヤの一方・他方サイドウォールのうち、少なくとも、前記一方サイドウォールに網体製、ゴム製、鋼板製、及び樹脂製の何れかでなるドーナツ形状補強体を備えた車輛に用いられる工事用・建機用大型車輌のタイヤに装着される補強体の構造において、
前記補強体は、
前記タイヤの前記一方・他方サイドウォールに設けられた鉄製、プラスチック製、複合素材製の何れかでなる一方・他方サイド環体と、
前記一方・他方サイド環体に横設された鉄製、プラスチック製、複合素材製の何れかでなる多数の差渡し体と、
少なくとも、前記多数の差渡し体と前記一方サイドウォールの前記一方サイド環体との間に設けられたそれぞれのスプリング、及び第１のＵボルト、並びに環体でなる第１連結具と、
前記補強体の中心辺部に設けられた鉄製、プラスチック製、複合素材製の何れかでなる中心環体と、
少なくとも、前記多数の差渡し体と前記他方サイドウォールの前記他方サイド環体との間に設けられた第２連結具と、
を備え、
前記第２連結具は、
第２のＵボルト、
及び、
前記他方サイド環体に係止される孔からなる繋ぎ体を備えた連結部、及び、孔からなる前記繋ぎ体に差込み支持される前記差渡し体の螺軸に螺着されるブッシュを備えた連結駒、
の何れかでなり、
前記差渡し体と前記一方サイドウォールの前記一方サイド環体との間に設けられた前記スプリング、及び前記第１のＵボルト、並びに前記環体でなる前記第１連結具は、前記一方サイド環体に設けられた円環形状の支持体に前記第１のＵボルトが接続されることで、前記一方サイド環体の周方向に移動しないように取り付けられ、
前記差渡し体と前記他方サイドウォールの前記他方サイド環体との間に設けられた前記第２のＵボルト、及び、前記他方サイド環体に係止され、かつ移動できる孔からなる前記繋ぎ体を備えた前記連結部、及び孔からなる前記繋ぎ体に差込み支持される前記差渡し体の螺軸に螺着される前記ブッシュを備えた前記連結駒、の何れかでなる前記第２連結具は、前記第２のＵボルト又は前記連結部が、前記他方サイド環体に対して、前記他方サイド環体の周方向に移動可能に取り付けられ、
前記一方・他方サイド環体は、前記タイヤの前記一方・他方サイドウォールに設けられるとともに、前記一方・他方サイド環体は、前記タイヤの沈み代（圧縮度）を考慮し、前記タイヤの外径に対して、小径に形成され、
前記多数の差渡し体は、前記タイヤのトレッドに配置され、
前記第１連結具は、前記一方サイドウォールと前記トレッドとの間に傾斜して設けられた前記タイヤの一方ショルダー部に、前記スプリングのばね力に基づいて伸縮自在に配置され、
前記第２連結具は、前記他方サイドウォールと前記トレッドとの間に傾斜して設けられた前記タイヤの他方ショルダー部に配置されている。
【手続補正４】
【補正対象書類名】明細書
【補正対象項目名】００１０
【補正方法】変更
【補正の内容】
【００１０】
これにより、上記発明は、前記の「イ」−「へ」の特徴を達成できる。但し「外側サイドウォール部（内側、及び／又は、外側サイドウォール部）と、補強体との間に侵入した砂利、削岩等を排出可能とする。」と、「しかも、タイヤの沈み代（圧縮度）を考慮し、タイヤの外径に対して、一割程度小径とする。」は除く。
【手続補正５】
【補正対象書類名】明細書
【補正対象項目名】００１１
【補正方法】変更
【補正の内容】
【００１１】
前記補強体は、網体であり、少なくとも、前記網体の隙間より処理物が、排出されるように構成され、
前記網体には、補強用の耐性の前記支持体が、周方向に複数本設けられていてもよい。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
これにより、上記発明は、前記の「イ」−「ホ」の特徴を達成できる。また、補強体の耐性の向上と、破損時において、個別に交換できる特徴と、経費の削減ができる。